(57)【要約】  成分測定装置（１０）は、スピーカ（５８）から出力される体液の所定成分の測定値を示す音声を切り換えるための音量切換スイッチ（４０）を備え、音量切換スイッチ（４０）は、スピーカ（５８）から出力される音声を、少なくとも、微小な囁き音量と通常音量とに切り換えるスイッチである。この囁き音量は、無響音室において、成分測定装置（１０）と騒音計（７０）のマイク（７２）との距離が３ｃｍの時に、騒音計（７０）により計測される騒音レベルが３６ｄＢ〜５３ｄＢの範囲内にあり、通常音量は、無響音室で、成分測定装置（１０）と騒音計（７０）のマイク（７２）との距離が５０ｃｍの時に、騒音計（７０）により計測される騒音レベルが５０ｄＢ以上である。
2013141209.tif 000002
【特許請求の範囲】
【請求項１】
体液の所定成分を測定する測定部（８８）と、
少なくとも、前記測定部（８８）で測定された測定値を示す音声をスピーカ（５８）から出力させる音出力制御部（９６）と、
前記スピーカ（５８）から出力される音量を切り換えるための音量切換スイッチ（４０）と、
前記音出力制御部（９６）が前記スピーカ（５８）から出力させる音声の音量を、前記音量切換スイッチ（４０）による切り換えに応じて変更する音量変更部（９８）と、
を備える成分測定装置（１０）であって、
前記音量切換スイッチ（４０）は、前記スピーカ（５８）から出力される音声を、少なくとも、微小な囁き音量と前記囁き音量より大きい通常音量とに切り換えるスイッチであり、
前記音量切換スイッチ（４０）により前記囁き音量が選択されている場合に、前記音出力制御部（９６）が前記スピーカ（５８）から出力させる音声の音量は、無響音室において、前記成分測定装置（１０）と騒音計（７０）のマイク（７２）との距離が３ｃｍの時に、前記騒音計（７０）により計測される騒音レベルが３６ｄＢ〜５３ｄＢの範囲内にある
ことを特徴とする成分測定装置（１０）。
【請求項２】
請求項１に記載の成分測定装置（１０）であって、
前記音量切換スイッチ（４０）により前記通常音量が選択されている場合に、前記音出力制御部（９６）が前記スピーカ（５８）から出力させる音声の音量は、無響音室において、前記成分測定装置（１０）と前記騒音計（７０）の前記マイク（７２）との距離が５０ｃｍの時に、前記騒音計（７０）により計測される騒音レベルが５０ｄＢ以上である
ことを特徴とする成分測定装置（１０）。
【請求項３】
請求項１又は２に記載の成分測定装置（１０）であって、
前記通常音量は、第１音量と、前記第１音量より大きい第２音量とを含み、
前記音量切換スイッチ（４０）は、前記スピーカ（５８）から出力される音声を、前記第１音量と前記第２音量とに切り換えることが可能である
ことを特徴とする成分測定装置（１０）。
【請求項４】
請求項３に記載の成分測定装置（１０）であって、
前記音量切換スイッチ（４０）により前記第１音量が選択されている場合に、前記音出力制御部（９６）が前記スピーカ（５８）から出力させる音声の音量は、無響音室において、前記成分測定装置（１０）と前記騒音計（７０）の前記マイク（７２）との距離が５０ｃｍの時に、前記騒音計（７０）により計測される騒音レベルが５５ｄＢ±５ｄＢの範囲内となり、
前記音量切換スイッチ（４０）により前記第２音量が選択されている場合に、前記音出力制御部（９６）が前記スピーカ（５８）から出力させる音声の音量は、無響音室において、前記成分測定装置（１０）と前記騒音計（７０）の前記マイク（７２）との距離が５０ｃｍの時に、前記騒音計（７０）により計測される騒音レベルが６０ｄＢ±５ｄＢの範囲内となる
ことを特徴とする成分測定装置（１０）。
【請求項５】
請求項１〜４のいずれか１項に記載の成分測定装置（１０）であって、
前記音出力制御部（９６）が前記スピーカ（５８）から音声以外の音を出力する場合で、前記音量切換スイッチ（４０）により前記囁き音量が選択されている場合は、前記スピーカ（５８）から出力される音声以外の音の音量は、無響音室で、前記成分測定装置（１０）と前記騒音計（７０）の前記マイク（７２）との距離が３ｃｍの時に、前記騒音計（７０）により計測される騒音レベルが３６ｄＢ〜６２ｄＢの範囲内にある
ことを特徴とする成分測定装置（１０）。
【請求項６】
請求項１〜５のいずれか１項に記載の成分測定装置（１０）であって、
前記スピーカ（５８）は、前記成分測定装置（１０）の筐体（１０ａ）の内部に設けられており、
前記筐体（１０ａ）には、前記スピーカ（５８）からの音声に応じて振動することで前記スピーカ（５８）からの音声を外部に伝達させる振動領域（５６）が設けられ、
前記振動領域（５６）及び前記音量切換スイッチ（４０）は、前記筐体（１０ａ）の一面と他面において、前記成分測定装置（１０）の長手方向に対して略同じ位置に設けられている
ことを特徴とする成分測定装置（１０）。
【請求項７】
請求項１〜６のいずれか１項に記載の成分測定装置（１０）であって、
前記音出力制御部（９６）は、音声データを増幅させるアンプ（９６ａ）を有し、
前記音量変更部（９８）は、前記音量切換スイッチ（４０）による切り換えによって、前記アンプ（９６ａ）への入力レベルを変更する
ことを特徴とする成分測定装置（１０）。
【請求項８】
人体のバイタルサインを測定する測定部（８８）と、
少なくとも、前記測定部（８８）で測定された測定値を示す音声をスピーカ（５８）から出力させる音出力制御部（９６）と、
前記スピーカ（５８）から出力される音量を切り換えるための音量切換スイッチ（４０）と、
前記音出力制御部（９６）が前記スピーカ（５８）から出力させる音声の音量を、前記音量切換スイッチ（４０）による切り換えに応じて変更する音量変更部（９８）と、
を備える医療機器（１０）であって、
前記音量切換スイッチ（４０）は、前記スピーカ（５８）から出力される音声を、微小な囁き音量と前記囁き音量より大きい通常音量とに切り換えるスイッチであり、
前記音量切換スイッチ（４０）により前記囁き音量が選択されている場合に、前記音出力制御部（９６）が前記スピーカ（５８）から出力させる音声の音量は、無響音室において、前記医療機器（１０）と騒音計（７０）のマイク（７２）との距離が３ｃｍの時に、前記騒音計（７０）により計測される騒音レベルが３６ｄＢ〜５３ｄＢの範囲内にある
ことを特徴とする医療機器（１０）。
【発明の詳細な説明】
【技術分野】
【０００１】
本発明は、体液中の所定成分又はバイタルサインを測定し、測定された測定値をスピーカから出力する成分測定装置及び医療機器に関する。
【背景技術】
【０００２】
糖尿病の治療においては、日々の血糖値を測定することによる日常的な管理が推奨されており、患者自身が血糖計を用いて血糖値を測定している。【０００３】
しかし、糖尿病患者は、合併症によって弱視になったり失明している場合や、また、合併症でなくても高齢によって視力が低下している場合があり、このような場合は、血糖計のディスプレイに表示される測定値等の情報を読むことは困難である。【０００４】
特開２００３−５８３５９号公報、特開２００７−４１９２０号公報、特許第４３９５１４６号公報には、音声で情報を報知する機能を搭載することで、測定値等の情報を視覚に頼らずに知ることができる血糖計や血糖計を用いたシステムが記載されている。
【発明の概要】
【０００５】
しかしながら、測定値等の情報は個人的な情報であり、衆人環境で、本人以外の人（周囲の人）に該情報を聞かれたくない場合がある。該情報が音声で出力されると周囲の人に係る情報が聞こえてしまう。また、周囲の雑音が大きい場合には、音声で出力された該測定値等の情報が周囲の雑音にかき消されてしまい、該測定値等の情報を聞き取ることができないことがある。また、血糖計等の成分測定装置のみならず、他のバイタルサイン（体温、血圧、心拍数、血流量等）を測定する医療機器においても同様のことが言える。
【０００６】
本発明は、係る従来の問題点に鑑みてなされたものであり、周囲の人に情報が漏れるのを防ぎ、且つ、周囲が騒がしい場合であっても音声出力された情報を聞き取ることができる音量段階が設定された成分測定装置及び医療機器を提供することを目的とする。
【０００７】
本発明に係る成分測定装置は、以下の特徴を有する。
【０００８】
第１の特徴；体液の所定成分を測定する測定部と、少なくとも前記測定部で測定された測定値を示す音声をスピーカから出力させる音出力制御部と、前記スピーカから出力される音量を切り換えるための音量切換スイッチと、前記音出力制御部が前記スピーカから出力させる音声の音量を、前記音量切換スイッチによる切り換えによって変更する音量変更部と、を備える成分測定装置であって、前記音量切換スイッチは、前記スピーカから出力される音声を、少なくとも、微小な囁き音量と前記囁き音量より大きい通常音量とに切り換えるスイッチであり、前記音量切換スイッチにより前記囁き音量が選択されている場合に、前記音出力制御部が前記スピーカから出力させる音声の音量は、無響音室において、前記成分測定装置と騒音計のマイクとの距離が３ｃｍの時に、前記騒音計により計測される騒音レベルが３６ｄＢ〜５３ｄＢの範囲内にある。
【０００９】
これにより、周囲の人に前記測定値を知られたくない場合は、前記音量切換スイッチによって前記スピーカから出力される音声の音量を前記囁き音量に切り換えれば良いので、周囲の人に前記測定値を示す音声が聞こえることはなく、該測定値が周囲の人に漏れることがない。また、前記囁き音量に切り換えた場合は、前記成分測定装置を耳に当てることで、ユーザは周囲が騒がしい場合であっても十分に前記測定値を聞き取ることができる。
【００１０】
第２の特徴；前記音量切換スイッチにより前記通常音量が選択されている場合に、前記音出力制御部が前記スピーカから出力させる音声の音量は、無響音室において、前記成分測定装置と前記騒音計の前記マイクとの距離が５０ｃｍの時に、前記騒音計により計測される騒音レベルが５０ｄＢ以上である。
【００１１】
これにより、周囲に人がいない場合、若しくは、前記測定値を周囲の人に知られても構わない場合は、前記音量切換スイッチによって前記スピーカから出力される音声の音量を前記通常音量に切り換えて使用できる。
【００１２】
第３の特徴；前記通常音量は、第１音量と、前記第１音量より大きい第２音量とを含み、前記音量切換スイッチは、前記スピーカから出力される音声を、前記第１音量と前記第２音量とに切り換えることが可能である。
【００１３】
これにより、前記成分測定装置を耳から離して音声を聞く場合、周囲の騒音や患者の聴力に応じて音量を切り換えられる。
【００１４】
第４の特徴；前記音量切換スイッチにより前記第１音量が選択されている場合に、前記音出力制御部が前記スピーカから出力させる音声の音量は、無響音室において、前記成分測定装置と前記騒音計の前記マイクとの距離が５０ｃｍの時に、前記騒音計により計測される騒音レベルが５５ｄＢ±５ｄＢの範囲内となり、前記音量切換スイッチにより前記第２音量が選択されている場合に、前記音出力制御部が前記スピーカから出力させる音声の音量は、無響音室において、前記成分測定装置と前記騒音計の前記マイクとの距離が５０ｃｍの時に、前記騒音計により計測される騒音レベルが６０ｄＢ±５ｄＢの範囲内となる。
【００１５】
これにより、前記成分測定装置を耳に接近させないで使用する通常使用において、周囲が騒がしい場合や耳の遠い患者であっても、前記測定値を十分に聞き取ることができる。
【００１６】
第５の特徴；前記音出力制御部が前記スピーカから音声以外の音を出力する場合で、前記音量切換スイッチにより前記囁き音量が選択されている場合は、前記スピーカから出力される音声以外の音の音量は、無響音室で、前記成分測定装置と前記騒音計の前記マイクとの距離が３ｃｍの時に、前記騒音計により計測される騒音レベルが３６ｄＢ〜６２ｄＢの範囲内にある。これにより、ブザー音等の音声以外の音の囁き音量が最適化され、聞き取り易くなる。
【００１７】
第６の特徴；前記スピーカは、前記成分測定装置の筐体の内部に設けられており、前記筐体には、前記スピーカからの音声に応じて振動することで前記スピーカからの音声を外部に伝達させる振動領域が設けられ、前記振動領域及び前記音量切換スイッチは、前記筐体の一面と他面において、前記成分測定装置の長手方向に対して略同じ位置に設けられている。
【００１８】
これにより、音量を切り換えるために前記音量切換スイッチに指が当接可能なように前記成分測定装置を把持した状態で、手のひらを耳元に近づけるように前記成分測定装置を持ってくれば、自然に前記振動領域を耳に近付けることができるので、取り扱いが容易になる。
【００１９】
第７の特徴；前記音出力制御部は、音声データを増幅させるアンプを有し、前記音量変更部は、前記音量切換スイッチによる切り換えによって、前記アンプへの入力レベルを変更する。これにより、前記音量切換スイッチの操作によって、前記スピーカから出力される音声の音量を変えることができる。
【００２０】
本発明に係る医療機器は、人体のバイタルサインを測定する測定部と、少なくとも前記測定部で測定された測定値を示す音声をスピーカから出力させる音出力制御部と、前記スピーカから出力される音量を切り換えるための音量切換スイッチと、前記音出力制御部が前記スピーカから出力させる音声の音量を、前記音量切換スイッチによる切り換えに応じて変更する音量変更部と、を備える医療機器であって、前記音量切換スイッチは、前記スピーカから出力される音声を、微小な囁き音量と前記囁き音量より大きい通常音量とに切り換えるスイッチであり、前記音量切換スイッチにより前記囁き音量が選択されている場合に、前記音出力制御部が前記スピーカから出力させる音声の音量は、無響音室において、前記医療機器と騒音計のマイクとの距離が３ｃｍの時に、前記騒音計により計測される騒音レベルが３６ｄＢ〜５３ｄＢの範囲内にあることを特徴とする。
【００２１】
これにより、周囲の人に前記測定値を知られたくない場合は、前記音量切換スイッチによって前記スピーカから出力される音声の音量を前記囁き音量に切り換えれば良いので、周囲の人に前記測定値を示す音声が聞こえることはなく、該測定値が周囲の人に漏れることがない。また、前記囁き音量に切り換えた場合は、前記医療機器を耳に当てることで、ユーザは周囲が騒がしい場合であっても十分に前記測定値を聞き取ることができる。
【００２２】
本発明によれば、周囲の人に測定値を知られたくない場合は、音量切換スイッチによってスピーカから出力される音声の音量を囁き音量に切り換えれば良いので、周囲の人に測定値を示す音声が聞こえることはなく、測定値が周囲の人に漏れることはない。また、囁き音量に切り換えた場合は、成分測定装置又は医療機器を耳に当てることで、ユーザは周囲が騒がしい場合であっても十分に測定値を聞き取ることができる。
【００２３】
上記の目的、特徴及び利点は、添付した図面を参照して説明される以下の実施の形態の説明から容易に諒解されるであろう。
【図面の簡単な説明】
【００２４】
【図１】図１は、成分測定装置及び医療機器の一例である血糖計の斜視図である。
【図２】図２は、図１に示す血糖計の平面図である。
【図３】図３は、図１の血糖計の基端側から見た側面図である。
【図４】図４は、図１に示すチップの断面図である。
【図５】図５は、図１に示す音量切換スイッチを示す図である。
【図６】図６は、音量大、音量小、囁き音量の計測方法を示す図である。
【図７】図７は、図１に示す血糖計の電気的な構成を示すブロック図である。
【図８】図８は、図７に示す記憶部のブロック構成図である。
【図９】図９は、図７に示す制御部のブロック構成図である。
【図１０】図１０は、図１に示す血糖計の動作を示すフローチャートである。
【発明を実施するための形態】
【００２５】
本発明に係る成分測定装置及び医療機器について、好適な実施の形態を掲げ、添付の図面を参照しながら以下、詳細に説明する。
【００２６】
図１は、成分測定装置及び医療機器の一例である血糖計１０の斜視図、図２は、図１に示す血糖計１０の平面図、図３は、図１の血糖計１０の基端側から見た側面図である。
【００２７】
血糖計１０には、先端に試験具としてのチップ１２が装着される。血糖計１０は、患者自身が操作して血糖測定を行うパーソナルユースの用途として主に用いられるが、医療施設内で医療従事者等が患者に対して使用してもよい。先ず初めに、チップ１２について説明する。本実施の形態では、血糖計１０を使用する患者、医療従事者等を総称してユーザと呼ぶ場合がある。
【００２８】
図４は、チップ１２の断面図である。チップ１２は、有底円筒状のベース筒１４と、ベース筒１４の底部付近から半径方向に突出するフランジ１６と、ベース筒１４の底部から突出する錘状のノズル１８と、ベース筒１４の底部内面に設置された試験紙２０とを有する。ベース筒１４には、複数のスリット１４ａが設けられている。ノズル１８の中心には、先端の点着部２２から試験紙２０に連通する直線状の血液導入路２４が設けられている。血液導入路２４は、血液を毛細現象により吸い上げる程度に十分細径に設定されており、点着部２２に接触した血液を試験紙２０まで導入する。
【００２９】
試験紙２０の材質としては、例えば、ポリエーテルスルホンが挙げられる。試験紙２０に含浸させる試薬としては、例えば、グルコースオキシダーゼ（ＧＯＤ）、ペルオキシダーゼ（ＰＯＤ）、４−アミノアンチピリン、Ｎ−エチルＮ−（２−ヒドロキシ−３−スルホプロピル）等の発色剤が挙げられる。また、試薬には、所定の緩衝剤が含まれていてもよい。
【００３０】
チップ１２は、いわゆるディスポーザブル品であり、個包装体としてケース２６（図１参照）内に緩く嵌合されて、収納されている。血糖測定を行う際には、ケース２６の基端側に貼られたフィルム（不図示）を剥した上で、ケース２６ごとチップ装着部２８（図１参照）に被せることにより、嵌合力の差によって自動的に且つ手で触れることなく該チップ１２をチップ装着部２８に装着させることができる。血糖測定後には、イジェクタ３０を先端側に押し出すことにより内部のレバーがチップ１２に係合して押し出し、チップ１２を取り外すことができる。
【００３１】
図１〜図３に戻り、血糖計１０は、チップ１２が装着されるチップ装着部２８と、チップ装着部２８の近傍で且つ、血糖計１０の筐体１０ａ上面に設けられたイジェクタ３０と、筐体１０ａ上面の略中央に設けられた液晶のディスプレイ３６と、筐体１０ａ上面の基端側に設けられた操作部３８と、筐体１０ａ側面の基端部近傍に設けられた複数段階に音量を切り換えることができる音量切換スイッチ４０と、筐体１０ａ側面の基端部（図３参照）に設けられた時間設定ボタン４４と、紐で接続されてチップ装着部２８を保護するキャップ４６とを有する。血糖計１０は、片手で把持し易いやや細長い形状であり、先端部は先端方向に向かって細くなるとともにやや下側に屈曲しており、血液の点着が行い易い形状になっている。
【００３２】
血糖計１０の上面部は、平面状に形成されており、ディスプレイ３６の視認性と操作部３８の操作性が良い。ディスプレイ３６は、計測した血糖値や所定の入力操作確認等の情報を表示する。
【００３３】
操作部３８は、電源８２より電力が供給された制御部８０（図７参照）をオン・オフする電源ボタン５０と、過去に記憶された測定値を読み出す記憶呼出ボタン５２と、直近の音声報知内容を再度報知させるための再生ボタン５４とを有する。この時間設定ボタン４４、電源ボタン５０、記憶呼出ボタン５２、及び再生ボタン５４の表面に、異なるパターンの小突起を設けてもよく、これにより指先の感触でこれらのボタンが識別可能である。
【００３４】
筐体１０ａの上面には、振動領域５６が設けられており、この振動領域５６の裏側に（筐体１０ａの内部）に、スピーカ５８（図７参照）が内蔵されている。振動領域５６は、スピーカ５８から出力された音に応じて振動することで、スピーカ５８から出力された音を、効率よく血糖計１０の外部に伝達することができる。振動領域５６は、電源ボタン５０及び記憶呼出ボタン５２と、再生ボタン５４との間に設けられている。
【００３５】
図５に示すように、音量切換スイッチ４０は、スピーカ５８から出力される音の音量を４段に切り換えることができるスイッチであり、血糖計１０の先端側が手首側となり、且つ、血糖計１０の裏面（ディスプレイ３６が設けられた面と反対側の面）を覆うように右手で把持したときに親指で操作し易い位置に設けられている。音量切換スイッチ４０は、４段に直線方向に移動（スライド）できるスイッチであり、左から順に、「囁き音量」、「消音」、「音量小」、「音量大」をそれぞれ選択することができる。指操作による音量切換スイッチ４０の移動を容易にするため、音量切換スイッチ４０には、指と係合する複数本の縦突起が設けられている。
【００３６】
音量切換スイッチ４０には、三角突起ポインタ４０ａが設けられている。三角突起ポインタ４０ａの下には、各段における音量切換スイッチ４０の三角突起ポインタ４０ａに位置に対応して、突起部６０、６２、６４、６６が形成されている。突起部６０は「囁き音量」の位置を、突起部６２は「消音」の位置を、突起部６４は「音量小」の位置を、突起部６６は「音量大」の位置をそれぞれ示す。また、三角突起ポインタ４０ａの下であって、突起部６０、６２、６４、６６の下には、左から順に、「囁き音量」に対応した「ハート」のマーク、「消音」に対応した「０」の数字、「音量小」及び「音量大」に対応した「楔」と「台形」のマークがそれぞれ表示されている。
【００３７】
三角突起ポインタ４０ａが突起部６０とスライド方向で一致する位置（第１の段）まで音量切換スイッチ４０をスライドさせると、スピーカ５８から出力される音の音量は囁き音量となる。三角突起ポインタ４０ａが突起部６２とスライド方向で一致する位置（第２の段）まで音量切換スイッチ４０をスライドさせると、スピーカ５８から出力される音の音量は零（０）となり、スピーカ５８から音が出力されない。囁き音量とは、血糖計１０に耳を近づけないと（血糖計１０と耳との距離が少なくとも１５ｃｍ以上離れると）、スピーカ５８からの音が聞き取れない程度の（微小な）音量である。
【００３８】
三角突起ポインタ４０ａが突起部６４とスライド方向で一致する位置（第３の段）まで音量切換スイッチ４０をスライドさせると、スピーカ５８から出力される音の音量は音量小（通常音量、第１音量）となり、三角突起ポインタ４０ａが突起部６６とスライド方向で一致する位置（第４の段）まで音量切換スイッチ４０をスライドさせると、スピーカ５８から出力される音の音量は音量大（通常音量、第２音量）となる。通常音量（音量小及び音量大）とは、血糖計１０に耳を近づけなくても（例えば、血糖計１０と耳との距離が少なくとも１５ｃｍ以上離れている場合であっても）、スピーカ５８からの音が聞き取れる程度の音量であり、音量大は、音量小より音量が大きい。この囁き音量、音量小、音量大の大きさについては後で詳しく説明する。
【００３９】
このように、血糖計１０のユーザは、音量切換スイッチ４０を一番左である第１の段（血糖計１０の先端側）に移動することで、スピーカ５８から出力される音量を囁き音量に切り換える（選択する）ことができ、囁き音量への切り換えが容易になる。逆に、囁き音量の位置を、端にせずに、左から２番目の位置（第２の段）又は３番目の位置（第３の段）にすると、つまり、中間の位置にすると、中間の位置に音量切換スイッチ４０を合わすために微妙な操作が必要となり、手先が不自由になり易い糖尿病患者にとっては、囁き音量に切り換えることが難しくなる。
【００４０】
また、消音の位置（第２の段）を、囁き音量の右隣とするので、音量切換スイッチ４０を操作して消音に切り換えることは、端に位置する囁き音量に切り換えるより難しくなる。しかし、音量切換スイッチ４０を音量小又は音量大の位置からスライドさせて消音に切り換えるとき、仮に音量切換スイッチ４０を消音の位置で止めることができず、行き過ぎて囁き音量の位置になったとしても、囁き音量は、血糖計１０に耳を近づけなければ音が聞こえないので、そのまま消音の代用として使用でき、問題は生じない。従って、前記のような音量切り換えの配置により、ユーザの使い勝手を向上させることができる。
【００４１】
また、ユーザは、音量切換スイッチ４０を一番右である第４の段（血糖計１０の基端側）に移動することで、スピーカ５８から出力される音量を最も大きくする（音量大にする）ことができるので、一番大きい音量への切り換えが容易になる。逆に、音量大の位置を、端にせずに、右から２番目の位置（突起部６２の位置）又は３番目の位置（突起部６４の位置）にすると、つまり、中間の位置にすると、中間の位置に音量切換スイッチ４０を合わすために微妙な操作が必要となり、手先が不自由になり易い糖尿病患者にとっては、音量大に切り換えることが難しくなる。
【００４２】
また、音量小の位置（第３の段）を、消音の位置（第２の段）と音量大の位置（第４の段）との間にするので、音量切換スイッチ４０を操作して音量小に切り換えることは、音量大に切り換えるより難しくはなるが、音量小への切り換えが上手く操作できない場合は、音量大に切り換えれば良い。音が聞こえないよりは音が確実に聞こえた方が良いので、より優先順位の高い音量大を一番右に位置し、音量大より優先順位の低い音量小を一番右から２番目にする。また、消音の位置を基準に右に行くほど音量が大きくなるので、ユーザの直感的な音量調整が可能となる。また、消音の位置を基準に、囁き音量の位置を左側、音量小及び音量大の位置を右側にすることで、ユーザは、囁き音量と、通常の音量調整（音量小及び音量大）との切り換えを直感的且つ容易に行うことができる。
【００４３】
次に、音量大、音量小、及び囁き音量の大きさについて説明する。音量の設定のための音量測定は、無響音室において、図６に示すように、血糖計１０の振動領域５６がある側に騒音計７０のマイク７２を配置して行った。このとき、血糖計１０の振動領域５６とマイク７２との間には、障害物はないものとする。この騒音計７０として、ソーテック（旧電子測器）社製の騒音計（型番ＴＹＰＥ１０１５）を用いた。なお、騒音計７０のウエイトスイッチを「Ａ」にし（Ａ特性に設定し）、動特性切換スイッチを「Ｓ」にした（動特性をＳｌｏｗに設定した）。このＡ特性は、ＩＥＣ  ６１６７２、ＪＩＳ  Ｃ１５０９、の騒音計７０の規格で定められている。
【００４４】
音量切換スイッチ４０によって音量大が選択されたとき、スピーカ５８から出力される音量は、血糖計１０の振動領域５６とマイク７２との距離Ｌを５０ｃｍにしたときに、騒音計７０により計測される騒音レベルが６０ｄＢ±５ｄＢの範囲内となる音量である。従って、音量大は、ユーザが血糖計１０に耳を近づけなくても、十分にスピーカ５８からの音が聞こえる音量であり、耳が遠い患者であっても十分に聞こえることができる。
【００４５】
また、音量切換スイッチ４０によって音量小が選択されたとき、スピーカ５８から出力される音量は、血糖計１０と騒音計７０のマイク７２との距離Ｌを５０ｃｍにしたときに、騒音計７０により計測される騒音レベルが５５ｄＢ±５ｄＢの範囲内となる音量である。従って、音量小は、ユーザが血糖計１０に耳を近づけなくても、通常の聴力を有していれば、十分にスピーカ５８からの音が聞こえる音量である。
【００４６】
また、音量切換スイッチ４０によって囁き音量が選択されたときにスピーカ５８から出力される音が音声の場合は、その音量は、血糖計１０と騒音計７０のマイク７２との距離Ｌを３ｃｍにしたときに、騒音計７０により計測される騒音レベルが３６ｄＢ〜５３ｄＢの範囲内となる音量である。また、音量切換スイッチ４０によって囁き音量が選択されたときにスピーカ５８から出力される音がブザー音等の音声以外の音（効果音）の場合は、その音量は、血糖計１０と騒音計７０のマイク７２との距離Ｌを３ｃｍにしたときに、騒音計７０により計測される騒音レベルが３６ｄＢ〜６２ｄＢの範囲内となる音量である。同じ囁き音量であっても、音声と音声以外の音とでは、騒音レベルが若干異なる。
【００４７】
囁き音量は、ユーザが血糖計１０に耳を近づけないと、スピーカ５８からの音が聞こえない音量であり、血糖計１０に耳を当てることで（血糖計１０の振動領域５６に耳を当てることで）、十分にスピーカ５８からの音が聞こえる音量である。また、周囲が騒がしい場合（周囲の雑音が煩い場合）であっても、血糖計１０が耳を塞ぐ状態となるので、患者はスピーカ５８からの音が十分に聞こえる。
【００４８】
なお、上述した騒音計７０によって測定された音量大、音量小、囁き音量の騒音レベルは、無響音室、すなわち、周囲の余計な雑音がない環境下で測定した騒音レベルである。また、騒音計７０の無音時のノイズレベルは３４ｄＢであった。
【００４９】
ここで、振動領域５６と音量切換スイッチ４０とが設けられる位置は、筐体１０ａの上面と側面において、血糖計１０の長手方向に対して略同じ位置に設けられている。つまり、親指が音量切換スイッチ４０に当たるように血糖計１０を右手で把持した後、振動領域５６を右耳に当てたときに、右手の親指が耳元に来るように、振動領域５６及び音量切換スイッチ４０が設けられている。これにより、親指が耳元に来るように血糖計１０を右耳まで持ってくれば、自然に振動領域５６が右耳に当たるので、簡単に振動領域５６を右耳に当てることができる。
【００５０】
図７は、血糖計１０の電気的な構成を示すブロック図である。血糖計１０は、ディスプレイ３６、音量切換スイッチ４０、時間設定ボタン４４、電源ボタン５０、記憶呼出ボタン５２、再生ボタン５４、及びスピーカ５８に加え、更に、血糖計１０の全体を統括的に制御する制御部８０、電源８２、時計８４、記憶部８６、及び測定部８８を備える。
【００５１】
電源８２には、例えば、アルカリ電池が用いられ、電源ボタン５０の作用下に電力を制御部８０に供給する。時計８４は、時間設定ボタン４４の操作によって調整され、現在時刻を制御部８０に通知する。時計８４には、カレンダー機能が設けられてもよい。
【００５２】
記憶部８６は、図８に示すように、プログラムメモリ８６ａと、ワークメモリ８６ｂと、音声データメモリ８６ｃと、設定値メモリ８６ｄとを有する。プログラムメモリ８６ａには、制御部８０が読み込み実行するためのプログラムが記憶されている。ワークメモリ８６ｂには、プログラムを実行する際に所定のデータを記憶するために用いられる。音声データメモリ８６ｃには、血糖計１０の操作の際にアナウンスさせる音声の音声データが記憶されており、例えば、「電源が入りました。」、「電池を交換してください。」、「測定中です。」、「時間を設定します。」等の音声データが記憶されている。また、音声データメモリ８６ｃには、音声以外の音、例えば、ブザー音、警告音等の効果音の音データも記憶されている。設定値メモリ８６ｄは、電源８２オフ時に所定のデータを記憶・保存しておくためのメモリである。例えば、過去に測定された血糖値が記憶される。
【００５３】
測定部８８は、光学式であって、試験紙２０（図４参照）にパルス状の光を照射する発光部８８ａと、呈色した試験紙２０が反射した光を受光する受光部８８ｂと、該受光部８８ｂの受光信号をデジタル値に変換して制御部８０に出力するＡ／Ｄ変換器８８ｃとを有する。なお、本実施の形態では、光学式で血糖値を求めるようにしたが、アンペロメトリー等を利用した電極式で血糖値を求めてもよい。
【００５４】
制御部８０は、図９に示すように、測定制御部９０、血糖値算出部９２、表示制御部９４、音出力制御部９６、及び、音量変更部９８を有する。測定制御部９０は、測定部８８を制御するものであり、発光部８８ａの発光制御、受光部８８ｂの受光制御等を行う。血糖値算出部９２は、測定部８８（詳しくは、Ａ／Ｄ変換器８８ｃ）から供給される受光信号に基づいて血糖値を算出する。
【００５５】
表示制御部９４は、ディスプレイ３６を制御して、血糖値算出部９２が算出した血糖値を示す３桁の数字をディスプレイ３６に表示させる。例えば、算出した血糖値が１２３ｍｇ／ｄＬの場合は、図２に示すように、左から順に（血糖計１０の先端側から順に）、「１」、「２」、「３」の３桁の数字をディスプレイ３６に表示させる。ディスプレイ３６は、血糖値算出部９２が算出した血糖値の他に、例えば、「電池を交換してください。」、「測定中です。」等の文章や、該文章の内容を示すアイコン等の表示が可能であってもよい。
【００５６】
音出力制御部９６は、記憶部８６の音声データメモリ８６ｃに記憶されている音声データを用いて、血糖値算出部９２が算出した血糖値を示す音声データを再生させて、スピーカ５８から血糖値を示す音声を出力する。例えば、算出した血糖値が１２３ｍｇ／ｄＬの場合は、「けっとうちは」、「ひゃく」、「にじゅう」、「さん」、「です」の音声データを前記の順で再生させる。これにより、スピーカ５８からは「血糖値は１２３です」の音声が出力される。音出力制御部９６は、アンプ９６ａを有し、該アンプ９６ａによって音声データが増幅される。なお、音出力制御部９６は、音声データ以外の音データ（例えば、効果音の音データ）を再生させて、スピーカ５８から、測定開始時や測定終了時、エラー発生時などに注意喚起するための音を出力してもよい。勿論、この場合であっても、アンプ９６ａによって音データが増幅されて再生される。
【００５７】
音量変更部９８は、音量切換スイッチ４０の操作に応じて、音出力制御部９６のアンプ９６ａへの入力レベルを変更する。音量変更部９８は、音量切換スイッチ４０によって「囁き音量」が選択されているときには、スピーカ５８から出力される音の音量が囁き音量となるように、アンプ９６ａへの入力レベルを設定する。音量変更部９８は、音量切換スイッチ４０によって「音量小」が選択されているときには、スピーカ５８から出力される音の音量が音量小となるように、アンプ９６ａへの入力レベルを設定する。音量変更部９８は、音量切換スイッチ４０によって「音量大」が選択されているときには、スピーカ５８から出力される音の音量が音量大となるように、アンプ９６ａへの入力レベルを設定する。なお、音量切換スイッチ４０によって「消音」が選択されているときには、スピーカ５８から出力される音量が０となるようにアンプ９６ａへの入力レベルを設定してもよいし、音出力制御部９６は、音声データを再生しないようにしてもよい。
【００５８】
次に、このように構成される血糖計１０の動作を、図１０のフローチャートに従って説明する。ユーザが電源ボタン５０を押すことにより、制御部８０が起動する。そして、音出力制御部９６は、スピーカ５８から「電源が入りました。」という音声を、音量切換スイッチ４０によって選択されている音量で出力する（ステップＳ１）。例えば、「囁き音量」が選択されている場合は囁き音量で音声を出力し、「音量小」が選択されている場合は音量小で音声を出力し、「音量大」が選択されている場合は音量大で音声を出力する。また、「消音」が選択されている場合は、スピーカ５８から音声が出力されない。なお、このとき、表示制御部９４は、「電源が入りました。」という文章や電源８２が入った旨を示すアイコンをディスプレイ３６に表示してもよい。また、音出力制御部９６は、注意を喚起する効果音を音量切換スイッチ４０によって選択されている音量で出力するようにしてもよい。
【００５９】
次いで、音出力制御部９６は、スピーカ５８から「チップを装着して下さい。」という音声を、音量切換スイッチ４０によって選択されている音量で出力する（ステップＳ２）。この音声のアナウンスに基づいて、ユーザは、キャップ４６を外し、ケース２６の基端側に貼られたフィルムを剥して、チップ１２をチップ装着部２８に装着する。なお、このとき、表示制御部９４は、「チップを装着して下さい。」という文章やチップ１２の装着を促すアイコンをディスプレイ３６に表示してもよい。また、音出力制御部９６は、効果音を音量切換スイッチ４０によって選択されている音量で出力するようにしてもよい。
【００６０】
次いで、血糖値算出部９２は、チップ１２が装着されたか否かを判断する。この判断は、受光部８８ｂが受光した光の光量に基づいて判断する（ステップＳ３）。つまり、ステップＳ３では、血糖値算出部９２は、受光部８８ｂからＡ／Ｄ変換器８８ｃを経て送られてきた受光信号に基づいてチップ１２の装着を判断する。チップ１２が装着されている場合は、発光部８８ａが発光した光は試験紙２０で反射して受光部８８ｂに入射するので、受光部８８ｂが受光する光量は大きくなる。従って、受光部８８ｂが受光した光量が閾値以上の場合は、チップ１２が装着されたと判断する。
【００６１】
ステップＳ３で、チップ１２が装着されていないと判断すると、装着されるまでステップＳ３に留まる。このとき、一定時間以上、チップ１２が装着されない場合は、音出力制御部９６は、警告音をスピーカ５８から出力するようにしてもよいし、表示制御部９４は、警告表示を行ってもよい。この警告音を出力する場合は、音量切換スイッチ４０によって選択された音量で出力してもよいし、音量切換スイッチ４０によって選択された音量に拘らず、予め決められた音量で出力してもよい。
【００６２】
ステップＳ３で、チップ１２が装着されたと判断すると、音出力制御部９６は、スピーカ５８から「チップが装着されました。チップに血液を点着して下さい。」という音声を、音量切換スイッチ４０によって選択されている音量で出力する（ステップＳ４）。この音声アナウンスに基づいて、ユーザは、チップ１２の点着部２２（図４参照）に血液を点着させる。なお、このとき、表示制御部９４は、「チップに血液を点着して下さい。」という文章や血液の点着を促すアイコンをディスプレイ３６に表示してもよい。また、音出力制御部９６は、効果音を音量切換スイッチ４０によって選択されている音量で出力するようにしてもよい。
【００６３】
血液がチップ１２に点着されると、血液中のグルコースと試験紙２０に含浸された試薬との反応により呈色が開始される。測定制御部９０は、測定部８８を制御することで、試験紙２０からの反射光を受光部８８ｂで受光して受光信号を得、該得られた受光信号をＡ／Ｄ変換器８８ｃによってデジタル値に変換させる。
【００６４】
次いで、血糖値算出部９２は、チップ１２が装着されたと判断してから一定時間経過後に、測定部８８から送られてきた受光信号に基づいて血糖値を算出する（ステップＳ５）。音出力制御部９６は、血糖値の測定の間（血糖値を算出するまでの間）、スピーカ５８から「計測中です。」という音声を、音量切換スイッチ４０によって選択されている音量で出力してもよい。なお、このとき、表示制御部９４は、測定終了までの残り時間（秒数）をカウントダウン式に表示する。なお、「計測中です。」という文章や測定中である旨を示すアイコンをディスプレイ３６に表示してもよい。
【００６５】
次いで、音出力制御部９６は、血糖値算出部９２が算出した血糖値を示す音声を、音量切換スイッチ４０によって選択されている音量で出力する（ステップＳ６）。例えば、求めた血糖値が１５７ｍｇ／ｄＬの場合は、音出力制御部９６は、スピーカ５８から「血糖値は、１５７です。」という音声を出力する。なお、このとき、表示制御部９４は、「１５７」という数字をディスプレイ３６に表示する。また、音出力制御部９６は、効果音を音量切換スイッチ４０によって選択されている音量で出力するようにしてもよい。
【００６６】
このように、血糖計１０は、血糖値を計測する測定部８８と、測定部８８からの受光信号に基づいて算出された測定値を示す音声をスピーカ５８から出力させる音出力制御部９６と、スピーカ５８から出力される音量を切り換えるための音量切換スイッチ４０と、音出力制御部９６がスピーカ５８から出力させる音声の音量を、音量切換スイッチ４０による切り換えによって変更する音量変更部９８とを備え、音量切換スイッチ４０は、スピーカ５８から出力される音声の音量を、囁き音量、音量小、音量大に切り換えるスイッチであり、囁き音量は、周囲の余計な雑音がない場合であって、血糖計１０とユーザの耳との距離が少なくとも１５ｃｍ以上離れると、スピーカ５８からの音が聞こえない音量であり、音量小及び音量大は、周囲の余計な雑音がない場合であって、血糖計１０とユーザの耳との距離が１５ｃｍ以上離れている場合であっても、スピーカ５８からの音が聞こえる音量であるので、周囲の人に測定値を知られたくない場合は、音量切換スイッチ４０によってスピーカ５８から出力される音声の音量を囁き音量に切り換えれば良い。
【００６７】
また、囁き音量に切り換えた場合は、血糖計１０に耳を当てることで、患者等は、周囲が騒がしい場合であっても十分に測定値を聞き取ることができる。また、周囲に人がいない場合は、若しくは、測定値を周囲の人に知られても構わない場合は、音量切換スイッチ４０によってスピーカ５８から出力される音声の音量を音量小又は音量大に切り換えることで、血糖計１０に耳を当てるという動作をせずに、測定値を十分に聞き取ることができる。
【００６８】
また、音量切換スイッチ４０によってスピーカ５８から出力される音声の音量を、音量小から音量大に切り換えることで、周囲が騒がしい場合や耳の遠い患者であっても、血糖計１０を耳に当てるという動作をせずに、測定値を十分に聞き取ることができる。
【００６９】
上記実施の形態は、以下のように変形してもよい。
【００７０】
（変形例１）上記実施の形態では、体液中の血糖を測定する血糖計１０を用いて説明したが、血糖以外の体液中の所定成分を測定するものであればよい。この場合、測定部８８は、血糖以外の体液中の所定成分を測定する機能を有する。また、体液成分以外のバイタルサインを測定する医療機器にも適用可能である。この場合、測定部８８は、バイタルサインを測定する機能を有する。バイタルサインとしては、体温、血圧、心拍数、呼吸数、酸素飽和度、心電、血流量、皮膚水分量、活動量等を含む。また、ここでいう成分測定装置及び医療機器とは、所謂パーソナルユース品に限らず、例えば、患者のために医療従事者が扱う機器若しくは装置を含むことは勿論である。
【００７１】
（変形例２）上記実施の形態では、音量切換スイッチ４０のスライド位置として、囁き音量の位置（第１の段）を一番左、消音の位置（第２の段）を左から２番目、音量大の位置（第４の段）を一番右、音量小の位置（第３の段）を右から２番目にしたが、囁き音量の位置を一番右、消音の位置を右から２番目、音量大の位置を一番左、音量小の位置を左から２番目にしてもよい。つまり、音量切換スイッチ４０のスライド可能範囲の一端を囁き音量の位置とし、消音の位置を囁き音量の位置の隣にすればよい。
【００７２】
（変形例３）上記実施の形態では、通常音量は、音量小と音量大との２段階に調整できるようにしたが、通常音量は、３以上の段階に調整できるようにしてもよく、音量の調整をできないようにしてもよい。３以上の段階に通常音量が調整できる場合であっても、消音の位置に近いほど音量は小さくなり、消音の位置から遠いほど音量は大きくなる。勿論、消音の位置を基準に、通常音量の位置は、囁き音量の位置の反対側に設けられている。音量の調整ができない場合は、通常音量は予め決められた音量となる。
【００７３】
（変形例４）上記変形例１〜３を任意に組み合わせた態様であってもよい。
【００７４】
以上、本発明について好適な実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【図１】
2013141209.tif 000003
【図２】
2013141209.tif 000004
【図３】
2013141209.tif 000005
【図４】
2013141209.tif 000006
【図５】
2013141209.tif 000007
【図６】
2013141209.tif 000008
【図７】
2013141209.tif 000009
【図８】
2013141209.tif 000010
【図９】
2013141209.tif 000011
【図１０】
2013141209.tif 000012
【国際調査報告】
2013141209.tif 000013
2013141209.tif 000014